(57)【特許請求の範囲】
【請求項１】
一対の電極間に原水を流通させて電気分解することにより、一方の電極側にアルカリイオン水を、他方の電極側に酸性水をそれぞれ生成する電解水生成手段と、
電解水生成手段の一方の電極側から生成されたアルカリイオン水を洗浄液として外部に供給する洗浄液流出経路と、
洗浄液流出経路のアルカリイオン水に界面活性剤及び消臭殺菌剤の少なくとも一方を添加する添加剤混合手段と、
電解水生成手段から洗浄液流出経路に供給されるアルカリイオン水のｐＨ値を検出するｐＨ値検出手段と、
ｐＨ値検出手段の検出値に基づいて添加剤混合手段の添加量を制御する添加量制御手段とを備え、
添加剤混合手段を、洗浄液流出経路に接続された添加剤容器と、添加剤容器と洗浄液流出経路との間を開閉するバルブとから構成した
ことを特徴とする洗浄液生成装置。
【請求項２】
電解水生成手段の他方の電極側から生成された酸性水を中性に改質して電解水生成手段の原水流入側に供給する電解水改質手段を備えた
ことを特徴とする請求項１記載の洗浄液生成装置。
【請求項３】
一対の電極間に原水を流通させて電気分解することにより、一方の電極側にアルカリイオン水または酸性水を、他方の電極側に酸性水またはアルカリイオン水を生成する電解水生成手段と、
電解水生成手段の一方の電極側から生成されたアルカリイオン水または酸性水を洗浄液として外部に供給する洗浄液流出経路と、
電解水生成手段の各電極の極性を切換える切換手段と、
洗浄液流出経路のアルカリイオン水または酸性水に界面活性剤及び消臭殺菌剤の少なくとも一方を添加する添加剤混合手段と、
切換手段によってアルカリ性の洗浄液を生成するアルカリ水モード、切換手段によって酸性の洗浄液を生成する酸性水モード、電解水生成手段の電解電圧の印加を解除することにより中性の洗浄液を生成する中性水モードの何れかを任意に切換可能なモード切換手段とを備え、
添加剤混合手段を、洗浄液流出経路に接続された添加剤容器と、添加剤容器と洗浄液流出経路との間を開閉するバルブとから構成した
ことを特徴とする洗浄液生成装置。
【請求項４】
一対の電極間に原水を流通させて電気分解することにより、一方の電極側にアルカリイオン水を、他方の電極側に酸性水をそれぞれ生成する電解水生成手段と、
電解水生成手段の一方の電極側から生成されたアルカリイオン水を洗浄液として外部に供給する第１の洗浄液流出経路と、
電解水生成手段の他方の電極側から生成された酸性水を洗浄液として外部に供給する第２の洗浄液流出経路と、
各洗浄液流出経路を切換える切換手段と、
洗浄液流出経路のアルカリイオン水または酸性水に界面活性剤及び消臭殺菌剤の少なくとも一方を添加する添加剤混合手段と、
切換手段によってアルカリ性の洗浄液を生成するアルカリ水モード、切換手段によって酸性の洗浄液を生成する酸性水モード、電解水生成手段の電解電圧の印加を解除することにより中性の洗浄液を生成する中性水モードの何れかを任意に切換可能なモード切換手段とを備え、
添加剤混合手段を、洗浄液流出経路に接続された添加剤容器と、添加剤容器と洗浄液流出経路との間を開閉するバルブとから構成した
ことを特徴とする洗浄液生成装置。
【請求項５】
前記電解水生成手段から洗浄液流出経路に供給される電解水のｐＨ値を検出するｐＨ値検出手段と、
ｐＨ値検出手段の検出値に基づいて電解水生成手段の電解電圧または電流を制御するｐＨ値制御手段とを備えた
ことを特徴とする請求項３または４記載の洗浄液生成装置。
【請求項６】
前記電解水生成手段から洗浄液流出経路に供給される電解水のｐＨ値を検出するｐＨ値検出手段と、
ｐＨ値検出手段の検出値に基づいて添加剤混合手段の添加量を制御する添加量制御手段とを備えた
ことを特徴とする請求項３または４記載の洗浄液生成装置。
【発明の詳細な説明】
【０００１】
【産業上の利用分野】
本発明は、各種物品または空気及び空気浄化フィルタ等の洗浄に使用する洗浄液を生成する洗浄液生成装置に関するものである。
【０００２】
【従来の技術】
従来、例えば食器、器具または食材等を洗う場合、或いは食器洗浄機等の洗浄装置に洗浄液を供給する場合には水道水が用いられるのが一般的である。また、特開平１−１５９０１５号公報には、洗浄装置の例として空気を洗浄する分離装置が開示され、この分離装置では本体ケース内の底部に収容した洗浄液に本体ケース内に吸入した空気を接触させることにより、空気中に含まれる油，塵埃等の混入物を除去するようになっている。
【０００３】
【発明が解決しようとする課題】
しかしながら、食器等を洗う場合、油汚れは洗剤を使用しないと落ちないし、洗剤を使用しても落ちにくい汚れには洗浄に多大な時間と労力を要するという問題点があった。また、食器洗浄機等の洗浄装置では水の噴射のみで汚れを落とすようになっているため、使用する洗浄液の量が多くなり、経済性の面で不利であった。一方、前記分離装置の場合は本体ケース内に一定量の洗浄液を溜めておくため、これを定期的に交換して内部を清掃する必要がある。しかしながら、このような交換作業及び清掃作業は極めて面倒であり、特に清掃作業においては内部に付着した油汚れを落とすのに極めて苦労するという問題点があった。
【０００４】
本発明は前記問題点に鑑みてなされたものであり、その目的とするところは、洗浄効果の高い洗浄液を容易に生成することのできる洗浄液生成装置を提供することにある。
【０００５】
【課題を解決するための手段】
本発明は前記目的を達成するために、請求項１では、一対の電極間に原水を流通させて電気分解することにより、一方の電極側にアルカリイオン水を、他方の電極側に酸性水をそれぞれ生成する電解水生成手段と、電解水生成手段の一方の電極側から生成されたアルカリイオン水を洗浄液として外部に供給する洗浄液流出経路と、洗浄液流出経路のアルカリイオン水に界面活性剤及び消臭殺菌剤の少なくとも一方を添加する添加剤混合手段と、電解水生成手段から洗浄液流出経路に供給されるアルカリイオン水のｐＨ値を検出するｐＨ値検出手段と、ｐＨ値検出手段の検出値に基づいて添加剤混合手段の添加量を制御する添加量制御手段とを備え、添加剤混合手段を、洗浄液流出経路に接続された添加剤容器と、添加剤容器と洗浄液流出経路との間を開閉するバルブとから構成している。
【０００６】
また、請求項２では、請求項１記載の洗浄液生成装置において、電解水生成手段の他方の電極側から生成された酸性水を中性に改質して電解水生成手段の原水流入側に供給する電解水改質手段を備えている。
【０００７】
また、請求項３では、一対の電極間に原水を流通させて電気分解することにより、一方の電極側にアルカリイオン水または酸性水を、他方の電極側に酸性水またはアルカリイオン水を生成する電解水生成手段と、電解水生成手段の一方の電極側から生成されたアルカリイオン水または酸性水を洗浄液として外部に供給する洗浄液流出経路と、電解水生成手段の各電極の極性を切換える切換手段と、洗浄液流出経路のアルカリイオン水または酸性水に界面活性剤及び消臭殺菌剤の少なくとも一方を添加する添加剤混合手段と、切換手段によってアルカリ性の洗浄液を生成するアルカリ水モード、切換手段によって酸性の洗浄液を生成する酸性水モード、電解水生成手段の電解電圧の印加を解除することにより中性の洗浄液を生成する中性水モードの何れかを任意に切換可能なモード切換手段とを備え、添加剤混合手段を、洗浄液流出経路に接続された添加剤容器と、添加剤容器と洗浄液流出経路との間を開閉するバルブとから構成している。
【０００８】
また、請求項４では、一対の電極間に原水を流通させて電気分解することにより、一方の電極側にアルカリイオン水を、他方の電極側に酸性水をそれぞれ生成する電解水生成手段と、電解水生成手段の一方の電極側から生成されたアルカリイオン水を洗浄液として外部に供給する第１の洗浄液流出経路と、電解水生成手段の他方の電極側から生成された酸性水を洗浄液として外部に供給する第２の洗浄液流出経路と、各洗浄液流出経路を切換える切換手段と、洗浄液流出経路のアルカリイオン水または酸性水に界面活性剤及び消臭殺菌剤の少なくとも一方を添加する添加剤混合手段と、切換手段によってアルカリ性の洗浄液を生成するアルカリ水モード、切換手段によって酸性の洗浄液を生成する酸性水モード、電解水生成手段の電解電圧の印加を解除することにより中性の洗浄液を生成する中性水モードの何れかを任意に切換可能なモード切換手段とを備え、添加剤混合手段を、洗浄液流出経路に接続された添加剤容器と、添加剤容器と洗浄液流出経路との間を開閉するバルブとから構成している。
【０００９】
また、請求項５では、請求項３または４記載の洗浄液生成装置において、前記電解水生成手段から洗浄液流出経路に供給される電解水のｐＨ値を検出するｐＨ値検出手段と、ｐＨ値検出手段の検出値に基づいて電解水生成手段の電解電圧または電流を制御するｐＨ値制御手段とを備えている。
【００１０】
また、請求項６では、請求項３または４記載の洗浄液生成装置において、前記電解水生成手段から洗浄液流出経路に供給される電解水のｐＨ値を検出するｐＨ値検出手段と、ｐＨ値検出手段の検出値に基づいて添加剤混合手段の添加量を制御する添加量制御手段とを備えている。
【００１１】
【作用】
請求項１の洗浄液生成装置によれば、電解水生成手段の一方の電極側にはアルカリイオン水が、他方の電極側には酸性水がそれぞれ生成され、一方の電極側から生成されたアルカリイオン水が添加剤混合手段により界面活性剤及び消臭殺菌剤の少なくとも一方を添加されて洗浄液となり、洗浄液流出経路を介して外部に供給される。即ち、界面活性剤はアルカリ性の高いｐＨ値では洗浄力が促進されることから、洗浄効果の高い洗浄液が容易に生成されるとともに、消臭殺菌剤により悪臭の発生及び雑菌の繁殖が防止される。また、電解水生成手段から洗浄液流出経路に供給されるアルカリイオン水のｐＨ値が検出され、この検出値に基づいて添加剤混合手段の添加量が制御されることから、洗浄液の洗浄力が常に適正に保たれる。
【００１２】
また、請求項２の洗浄液生成装置によれば、請求項１の作用に加え、電解水生成手段から生成された酸性水が電解水改質手段によって中性水となった後、電解水生成手段の入口側に供給されることから、酸性水が無駄にならずに原水として再利用される。
【００１３】
また、請求項３の洗浄液生成装置によれば、切換手段により電解水生成手段の一方の電極を陰極、他方の電極を陽極にすると、一方の電極側にはアルカリイオン水が、他方の電極側には酸性水がそれぞれ生成され、一方の電極側から生成されたアルカリイオン水が添加剤混合手段により界面活性剤及び消臭殺菌剤の少なくとも一方を添加されて洗浄液となり、洗浄液流出経路を介して外部に供給される。即ち、界面活性剤はアルカリ性の高いｐＨ値では洗浄力が促進されることから、洗浄効果の高い洗浄液が容易に生成されるとともに、消臭殺菌剤により悪臭の発生及び雑菌の繁殖が防止される。また、切換手段により電解水生成手段の一方の電極を陽極、他方の電極を陰極にすると、一方の電極側には酸性水が、他方の電極側にはアルカリイオン水がそれぞれ生成され、一方の電極側から生成された酸性水が洗浄液として洗浄液流出経路を介して外部に供給される。この場合、酸性水は添加剤を混合せずとも殺菌効果を有する。また、アルカリ性の洗浄液を生成するアルカリ水モードと、酸性の洗浄液を生成する酸性水モードと、中性の洗浄液を生成する中性水モードとが切換えられることから、必要に応じた洗浄液が任意に選択される。
【００１４】
また、請求項４の洗浄液生成装置によれば、電解水生成手段の一方の電極側にはアルカリイオン水が、他方の電極側には酸性水がそれぞれ生成され、切換手段により洗浄液の流出経路を第１の洗浄液流出経路にすることにより、一方の電極側から生成されたアルカリイオン水が添加剤混合手段により界面活性剤及び消臭殺菌剤の少なくとも一方を添加されて洗浄液となり、第１の洗浄液流出経路を介して外部に供給される。即ち、界面活性剤はアルカリ性の高いｐＨ値では洗浄力が促進されることから、洗浄効果の高い洗浄液が容易に生成されるとともに、消臭殺菌剤により悪臭の発生及び雑菌の繁殖が防止される。また、切換手段により洗浄液の流出経路を第２の洗浄液流出経路にすることにより、他方の電極側から生成された酸性水が洗浄液として第２の洗浄液流出経路を介して外部に供給される。この場合、酸性水は添加剤を混合せずとも殺菌効果を有する。また、アルカリ性の洗浄液を生成するアルカリ水モードと、酸性の洗浄液を生成する酸性水モードと、中性の洗浄液を生成する中性水モードとが切換えられることから、必要に応じた洗浄液が任意に選択される。
【００１５】
また、請求項５の洗浄液生成装置によれば、請求項３または４の作用に加え、電解水生成手段から洗浄液流出経路に供給される電解水のｐＨ値が検出され、この検出値に基づいて電解水生成手段の電解電圧または電流が制御されることから、洗浄液の洗浄力が常に適正に保たれる。
【００１６】
また、請求項６の洗浄液生成装置によれば、請求項３または４の作用に加え、電解水生成手段から洗浄液流出経路に供給される電解水のｐＨ値が検出され、この検出値に基づいて添加剤混合手段の添加量が制御されることから、洗浄液の洗浄力が常に適正に保たれる。
【００１７】
【実施例】
図１乃至図９は本発明の第１の実施例を示すもので、図１は本発明の洗浄液生成装置を備えた分離装置の断面図、図２は分離装置の一側面除外の外観斜視図、図３は多孔素子の分解斜視図、図４は電解水生成器の断面図、図５は界面活性剤添加器及び消臭剤添加器の断面図、図６及び図７は作用説明図である。
【００１８】
まず、分離装置の構成について説明する。即ち、同図に示す分離装置１は、本体ケース２と、一対の分離板３と、各分離板３を支持するブラケット４とから構成され、本体ケース２内の底部には洗浄液Ｌが収容されている。
【００１９】
本体ケース２は金属材或いはプラスチック材等により略箱型に形成され、対向する二つの側面に横長矩形状の吸気口２ａを有し、上面には横長矩形状の排気口２ｂが設けられている。また、本体ケース２の底面にはバルブ２ｃを介装した排水管２ｄが接続されており、バルブ２ｃを開放して汚れた洗浄液Ｌを適宜排出できるようになっている。
【００２０】
各分離板３は、横長矩形状の多孔素子３ａと、多孔素子３ａの両面上部を覆う横長矩形状の通気板３ｂ，３ｃと、多孔素子３ａの両面下部を覆う遮蔽板３ｄ，３ｅとから構成されている。多孔素子３ａは図３に示すように同一形状の格子状金網Ｋを複数枚積層して形成され、多数の微細隙間を連続して有している。通気板３ｂ，３ｃは多孔性のプラスチック材やセラミック等の通気性材或いは周知のフィルタ材からなり、通過空気の整流の他に混入物の分離，除去を補助的に行うものである。遮蔽板３ｄ，３ｅは金属材或いはプラスチック材等の非通気性材からなり、多孔素子３ａの両側面に設けられた通気板からの吸気，排気の制限と共に、多孔素子３ａ底面からの洗浄液Ｌの吸引を補足している。各分離板３は互いが平行に、且つ片面側の通気板３ｂ及び遮蔽板３ｄが吸気口２ａに向き合うようにその上面をブラケット４を介して本体ケース２内の上面に固着されている。各分離板３はこの固着状態で長手方向端縁をブラケット４と共に本体ケース２の内側面にシール材等を介して密着され、その下端部を洗浄液Ｌ内に没入させている。また、同固着状態では吸気口２ａに向き合う通気板３ｂと遮蔽板３ｄの境界線は同面の中間に位置し、一方、排気口２ｂに向き合う通気板３ｃと遮蔽板３ｅの境界線は吸気口２ａの下端縁と略一致している。更に、吸気口２ａに向き合う通気板３ｂには内側の通気板３ｃよりも孔形及び空孔率が小さいものが使用されている。
【００２１】
次に、上記分離装置１に備わる洗浄液生成装置５の構成について説明する。同図に示す洗浄液生成装置５は、電解水生成器６と、添加剤混合手段をなす界面活性剤添加器７と、同じく消臭殺菌剤添加器８とからなり、これらの構成によって水道水等の原水から洗浄液を生成するようになっている。
【００２２】
この洗浄液生成装置５は電解水生成器６の一方の出口側に洗浄液流出経路５ａを有し、洗浄液流出経路５ａは本体ケース２の側面に接続されている。また、電解水生成器６の入口側は図示しない水道管に接続され、これにはバルブ５ｂが設けられている。
【００２３】
電解水生成器６は、図４に示すように入口６ａ及び二つの出口６ｂ，６ｃと、これら出入口を結ぶ通路６ｄと、通路６ｄ内に対向配置された陽極６ｅ及び陰極６ｆと、両電極間を仕切るイオン透過膜６ｇとから構成され、入口６ａから水道水が流入するようになっている。この電解水生成器６では、両電極６ｅ，６ｆに電解電圧を印加することにより、通路６ｄを流れる水を電気分解して、ＯＨ- やＣａ2+，Ｍｇ2+，Ｎａ+ 等を多く含んだアルカリイオン水と、Ｈ+ やＣｌＯ- を多く含んだ酸性水を生成し、アルカリイオン水を一方の出口６ｂから液体供給管路５に送り出し、酸性水を他方の出口６ｃから排出するようになっている。
【００２４】
界面活性剤添加器７は、図５に示すように界面活性剤Ａを収容する容器７ａを備え、容器７ａの下端はバルブ７ｂを介して電解水生成器６の一方の出口６ｂ側の流路に分岐接続されている。また、容器７ａの上面には蓋７ｃが設けられ、蓋７ｃを開けて界面活性剤Ａの補充を行えるようになっている。界面活性剤Ａにはラウリル硫酸トリエタノールアミン塩、ヤシ脂肪酸トリエタノールアミン石鹸またはショ糖脂肪酸エステル等のカチオンまたはアニオン性界面活性剤が安全性も高く効果的であり、効能に応じて５〜２０wt％の水溶液として使用する。この界面活性剤添加器７では、バルブ７ｂを開いて容器７ａ内の界面活性剤Ａを流出させることにより、液体供給管路５を流れる液体に界面活性剤Ａを添加することができる。
【００２５】
消臭殺菌剤添加器８は、図５に示すように消臭殺菌剤Ｂを収容する容器８ａを備え、容器８ａの下端はバルブ８ｂを介して電解水生成器６の一方の出口６ｂ側の流路に分岐接続されている。また、容器８ａの上面には蓋８ｃが設けられ、蓋８ｃを開けて消臭剤Ｂの補充を行えるようになっている。消臭剤Ｂにはエタノール、プロピレングリコール、グリセリン、チアベンダゾール、溶菌酵素、塩化リゾチウム、塩化ベンザルニウムまたはグルコン酸クロルヘキシジン等の消毒若しくは抗菌剤を、フィットンチッド、ヒノキチオールまたは分解酵素等の消臭剤に少なくとも１種類以上を配合したものが安全性も高く、これを効能に応じて０．０１〜０．０５wt％の水溶液として使用する。この消臭剤添加器８では、バルブ８ｂを開いて容器８ａ内の消臭剤Ｂを流出させることにより、液体供給管路５を流れる液体に消臭剤Ｂを添加することができる。
【００２６】
次に、図６及び図７を参照して上記分離装置の作用を説明する。本実施例の分離装置１は、図８に示すように厨房，台所等の天板Ｔに形成された排気孔Ｔａにその排気口Ｔａを接続して使用される。尚、天板Ｔの排気孔Ｔａにはファン内蔵の排気ダクトＤが接続されている。
【００２７】
排気に際して排気ダクトＤのファン（図示せず）を作動させると、空気圧の関係で排気口２ｂ側の水位が上昇し、吸気口２ａ側の水位が下降する。その際、吸気口２ａ側の水位が分離板３の遮蔽板３ｄ下端よりも僅かに下降すると、吸気口２ａから吸入された空気の一部分が遮蔽板３ｄの下方を通って多孔素子３ａの下端に導かれる。
【００２８】
多孔素子３ａが多数の微細隙間を連続して有することから、上記空気は多孔素子３ａ内を細かい気泡状態で上昇し、換言すれば多孔素子３ａ内が泡立った状態となり、これに伴って多孔素子３ｅ内の水位は内側の遮蔽板３ｅの上端まで上昇し、毛細管力による相乗作用で多孔素子３ａの上端まで洗浄液Ｌが浸透する。この浸透では図９に示すように、金網Ｋの孔及び金網間の隙間に液体の膜が形成され、形成されない部分には孔及び隙間周囲に洗浄液Ｌが付着する。
【００２９】
多孔素子３ａの下端に導かれた空気は上記のように気泡状態のまま多孔素子３ａ内を上昇し、この上昇過程で油，塵埃，悪臭ガス等の混入物を洗浄液Ｌで除去され、内側の通気板３ｃを通じて排気口２ｂに導かれる。一方、吸気口２ａから吸入された空気の他の部分は吸気口２ａに向き合う通気板３ｂを通じて多孔素子３ａの上部側面に導かれ、通気板３ｂを通過する過程で比較的大きな混入物を捕捉されるとともに、多孔素子３ａを通過する過程で上記の水膜及び付着水に接触して油，塵埃，悪臭ガス等の混入物を除去され、内側の通気板３ｃを通じて排気口２ｂに導かれる。ちなみに、吸入空気の分流割合は吸気口側の遮蔽板３ｄの高さや分離板３の水没深さ等によって調整が可能である。
【００３０】
また、上記分離装置１では、空気から分離した油や塵埃が本体ケース２内の洗浄液Ｌ中に残留するため、長期間の使用により洗浄液Ｌが汚れてくる。この場合、本体ケース２のバルブ２ｃを開放して排水管２ｄから汚れた洗浄液Ｌを排出し、洗浄液生成装置５の液体供給管路５のバルブ５ａを開放することにより、新たな洗浄液Ｌが本体ケース２内に供給される。
【００３１】
洗浄液生成装置５では、電解水生成器６の一方の電極６ｆ（陰極）側にアルカリイオン水が、他方の電極６ｅ（陽極）側に酸性水がそれぞれ生成され、アルカリイオン水は一方の出口６ｂから吐出し、界面活性剤添加器７により界面活性剤Ａを、消臭剤添加器８により消臭剤Ｂをそれぞれ添加され、洗浄液Ｌとして本体ケース２内に供給される。また、電解水生成器６で生成された酸性水は出口６ｃを介して外部に排出される。
【００３２】
本実施例で用いられる界面活性剤は、表面張力を低下させるとともに、親水性を増加させ、しかも油との乳化、即ちエマルジョン効果によって洗浄作用を促進するものであるが、この種の界面活性剤はアルカリ性の高いｐＨ値では洗浄力が更に向上する性質を有している。即ち、本実施例では電解水生成器６で生成されたアルカリイオン水に界面活性剤Ａを添加しているので、洗浄力の高い洗浄液Ｌが生成される。
【００３３】
このように、本実施例の洗浄液生成装置によれば、水道水等の原水を電気分解してアルカリイオン水を生成し、これに界面活性剤Ａ及び消臭殺菌剤Ｂを添加するようにしたので、洗浄力の高い洗浄液Ｌを極めて容易に生成することができ、しかも洗浄力の向上した分だけ界面活性剤Ａの使用量を少なくすることができるので、経済性及び環境衛生の面でも有利である。また、界面活性剤Ａ及び消臭殺菌剤Ｂを添加器７，８によって液体供給管路５内に添加するようにしたので、添加量の調整は勿論のこと、アルカリイオン水との混合を常に均一に行うことができる。
【００３４】
また、前記洗浄液生成装置を用いた分離装置１では、本体ケース２内の洗浄液Ｌを排水管２ｃから排出し、洗浄液生成装置４によって新たな洗浄液Ｌを供給するようにしたので、本体ケース２内の洗浄液Ｌを極めて容易に交換することができる。この場合、アルカリイオン水によって洗浄液Ｌの泡立ちが向上し、空気の洗浄効果を高めることができるとともに、アルカリイオン水の効用により長期間の使用後も油汚れが本体ケース２内に付着することがない。更に、洗浄液Ｌに抗菌効果を有する消臭殺菌剤Ｂを添加するようにしたので、洗浄液Ｌにおける雑菌，腐敗臭等の発生を確実に防止することができる。
【００３５】
図８及び図９は本発明の第２の実施例を示すもので、前記洗浄液生成装置を第１の実施例とは構造の異なる分離装置に用いたものである。
【００３６】
同図に示す分離装置１１は、本体ケース１２と、一対の分離板１３と、各分離板１３を支持するブラケット１４と、一対の放水ヘッド１５と、各放水ヘッド１５を支持するブラケット１６とから構成され、本体ケース１２内の底部には洗浄液Ｌが収容されている。また、同図に示す洗浄液生成装置１７は、洗浄液流出経路１７ａと、バルブ１７ｂと、電解水生成器１８と、界面活性剤添加器１９と、消臭殺菌剤添加器２０とからなり、これらの構成は前記実施例と同様であるため、詳細な説明については省略する。
【００３７】
本体ケース１２は金属材或いはプラスチック材から箱型に形成され、対向する二側面に横長矩形状の吸気口１２ａを有し、その上面には横長矩形状の排気口１２ｂが形成されている。本体ケース２の各吸気口２ａの上端内側には横長矩形状の風向板２ｃが設けられており、吸入空気の放水ヘッド１５側への流れ込みを抑制できるようになっている。また、本体ケース１２の底面にはバルブ１２ｃを介装した排水管１２ｄが接続されており、バルブ１２ｃを開放して汚れた洗浄液Ｌを適宜排出できるようになっている。さらに、排水管１２ｄのバルブ上方部位には一端を放水ヘッド１５の給水口１５ａに接続された給水管１２ｅが分岐接続され、この給水管１２ｅの途中に設けたポンプ１２ｆにより、洗浄液Ｌを放水ヘッド１５に送り込めるようになっている。
【００３８】
各分離板１３は、前記実施例と同様に同一形状の格子状金網を複数枚積層して形成され、多数の微細隙間を連続して有している。これら分離板１３は互いが平行に、且つ一方の面が吸気口１２ａに向き合うようにその内側面上部をブラケット１４を介して本体ケース１２の内上面に固着され、この固着状態で長手方向端縁をブラケット１４と共に本体ケース１２の内側面にシール材等を介して密着され、その下端部を洗浄液Ｌ内に没入している。
【００３９】
各放水ヘッド１５は、図面に直交して延びる横長形状を成し、その上面中央に給水口１５ａを下面に複数の放水口１５ｂを等間隔で有している。この放水ヘッド１５は放水口１５ｂが分離板１３の上端面に向き合うようにその中間鍔部をブラケット１６を介して本体ケース１２の内上面に固着されている。
【００４０】
本実施例の分離装置１１においては、本体ケース１２の洗浄液Ｌが給水管１２ｅを通じて各放水ヘッド１５に送り込まれ、それぞれの放水口１５ｂから各分離板１３の上端面全体に万遍なく放出される。この放出は図示のような霧状で行う以外に、単なる自然，自在流下等であってもよい。各分離板１３の上端面に放出された洗浄液Ｌは分離板１３に沿って流れ落ち、この結果、分離板１３全体の微細隙間に水膜が流動的に形成される。
【００４１】
上記の放水状態で排気ダクトＤのファンを作動させると、吸気口１２ａから吸入された空気が分離板１３の吸気口側面に導かれ、分離板１３を通じて排気口１２ｂに導かれる。吸入空気に含まれる油，塵埃，悪臭ガス等の混入物は吸入空気が分離板１３内の水膜を通過する過程で除去される。
【００４２】
上記分離装置１１においても、前記実施例と同様、本体ケース１２のバルブ１２ｃを開放して排水管１２ｄから汚れた洗浄液Ｌを排出し、液体供給管路１５のバルブ１５ａを開放して新たな洗浄液Ｌを本体ケース１２内に供給することにより、洗浄液Ｌの交換が行われる。
【００４３】
また、図９では前記各分離板１３の両面にその下端から収容洗浄液Ｌの水面よりも高い位置までを覆う遮蔽板１３ａ，１３ｂが設けられている。この遮蔽板１３ａ，１３ｂは金属材或いはプラスチック材等の非通気性材からなり、分離板１３の吸・排気面積を制限している。
【００４４】
この場合、前述と同様に本体ケース１２の収容洗浄液Ｌが給水管１２ｅを通じて各放水ヘッド１５に送り込まれ、それぞれの放水口１５ｂから各分離板１３の上端面全体に万遍なく放出される。各分離板１３の上端面に放出された洗浄液Ｌは該分離板１３に沿って流れ落ち、この結果、分離板１３全体の微細隙間に水膜が流動的に形成される。
【００４５】
上記の放水状態で排気ダクトＤのファンを作動させると、空気圧の関係で排気口１２ｂ側の水位が上昇し吸気口１２ａ側の水位が下降する。吸気口１２ａ側の水位が分離板１３の遮蔽板１３ａ下端よりも僅かに下降すると、吸気口１２ａから吸入された空気の一部分の遮蔽板１３ａの下を回って分離板１３の下端に導かれる。分離板１３が多数の微細隙間を連続して有することから、上記空気は分離板３内を細かい気泡状態で上昇し、換言すれば分離板１３内が泡立った状態となり、これに伴って分離板１３内の水位は内側の遮蔽板ｂの上端まで上昇する。
【００４６】
分離板１３の下端に導かれた空気は上記のように気泡状態のまま分離板１３内を上昇し、この上昇過程で油，塵埃等の混入物を洗浄液Ｌで除去され排気口１２ｂに導かれる。一方、吸気口１２ａから吸入された空気の他の部分は分離板１３の上部側面に導かれ、分離板１３を通過する過程で上記の水膜に接触して油，塵埃等の混入物を除去され排気口１２ｂに導かれる。
【００４７】
本実施例の分離装置１１によれば、図８に示すように分離板１３の上端面に洗浄液Ｌを放水して分離板１３の多数の微細隙間に水膜を流動的に形成するようにした場合や、図９に示すように分離板１３への放水に加えて吸気口１２ａから吸入された空気の一部分を分離板１３の下端に導いて分離板３内を気泡状態で上昇させるようにした場合の何れにおいても、前記第１の実施例と同様の効果を得ることができる。
【００４８】
以上、前記第１及び第２の実施例では洗浄液生成装置を空気洗浄用の分離装置に用いたものを示したが、本発明の洗浄液生成装置は前記分離装置以外、例えば食器洗浄機等の他の洗浄装置や流し台の水栓等にも接続することができる。以下、洗浄液生成装置の他の実施例について説明する。
【００４９】
図１０及び図１１は本発明の第３の実施例を示すもので、図１０は洗浄液生成装置の概略構成図である。
【００５０】
同図に示す洗浄液生成装置２１は、電解水生成器２２と、界面活性剤添加器２３と、消臭殺菌剤添加器２４と、電解水生成器２２に電力を供給する電源２５と、ｐＨ値を検出するｐＨセンサ２６と、アルカリ性の水を中性に改質する電解水改質装置２７と、制御部２８とから構成され、電解水生成器２２の一方の出口側に洗浄液流出経路２１ａが形成されている。
【００５１】
電解水生成器２２、界面活性剤添加器２３及び消臭殺菌剤添加器２４は前記実施例と同様に構成され、各添加器２３，２４は電解水生成器２２の一方の電極２２ａ側の流路に設けられている。また、各添加器２３，２４は電磁弁またはアスピレータ等からなる自動開閉機構２３ａ，２４ａによって内部の液剤の流出量をそれぞれ調節できるようになっている。
【００５２】
電源２５は電解水生成器２２の各電極２２ａ，２２ｂに接続され、一方の電極２２ａが陰極に、他方の電極２２ｂが陽極になるように電圧を印加している。また、電源２５は電解電圧または電流を制御部２７からの信号によって任意に変えられるようになっている。
【００５３】
ｐＨセンサ２６は電解水生成器２２の一方の電極２２ａ側の流路に設けられ、電解水生成器２２から生成されるアルカリイオン水のｐＨ値を検出するようになっている。
【００５４】
電解水改質装置２７は一端を電解水生成器２２の他方の電極２２ｂ側の出口に接続され、その他端はポンプ２７ａを介して電解水生成器２２の入口側に接続されている。この電解水改質装置２７は電解水生成器２２から生成された酸性水を回収し、これを中性水に改質して再び電解水生成器２２に供給するものであり、具体的には陰イオンを除去するイオン交換体、例えば多孔性の強塩基性陰イオン交換樹脂（４級アンモニウム基を結合したもの）、或いは弱塩基性陰イオン交換樹脂（１〜３級アミンを結合したもの）を用い、原水中に含まれる塩素イオンが反応して発生する次亜塩素酸イオン（ＣｌＯ- ）、ＳＯ42- やＮＯ3ー等を除去して中性水を生成するようになっている。尚、イオン交換体には前記陰イオン交換樹脂の代わりに活性炭を用いることも可能である。
【００５５】
制御部２８はマイクロコンピュータ等によって構成され、界面活性剤添加器２３及び消臭殺菌剤添加器２４の各自動開閉機構２３ａ，２４ａ、電源２５及びｐＨセンサ２６に接続されている。
【００５６】
ここで、前記洗浄液生成装置２１の動作について説明する。まず、電解水生成器２２の一方の電極２２ａ（陰極）側にはアルカリイオン水が、他方の電極２２ｂ（陽極）側には酸性水がそれぞれ生成され、アルカリイオン水は一方の出口から吐出し、界面活性剤添加器２３により界面活性剤を、消臭殺菌剤添加器２４により消臭殺菌剤をそれぞれ添加されて洗浄液となる。また、電解水生成器２２で生成された酸性水は他方の出口から吐出して電解水改質装置２７に流入し、電解水改質装置２７によって中性水となった後、電解水生成器２２の入口側に供給される。これにより、前記実施例では捨て水となっていた酸性水が無駄にならずに原水（中性）として再利用されるので、水の使用量を節減することができる。
【００５７】
次に、図１１に示すフローチャートを参照して前記制御部２８の動作について説明する。まず、電解水生成器２２から生成されたアルカリイオン水はｐＨセンサ２６によってｐＨ値を検出され、その検出値Ａが設定値Ａ1 よりも小さいときは（Ｓ１）、電源２５の電圧Ｖを微小値αだけ上昇させ（Ｓ２）、検出値Ａが設定値Ａ1 よりも大きいときは（Ｓ３）、電源２５の電圧Ｖを微小値αだけ低下させる（Ｓ４）。これにより、洗浄液ＬのｐＨ値が常に適正に保たれる。また、制御部２８ではｐＨセンサ２６の検出値に基づいて界面活性剤添加器２３及び消臭殺菌剤添加器２４の各自動開閉機構２３ａ，２４ａの開度を調整し、界面活性剤及び消臭殺菌剤の添加量を制御するようにしてもよい。
【００５８】
図１２及び図１３は本発明の第４の実施例を示すもので、図１２は洗浄液生成装置の概略構成図である。
【００５９】
同図に示す洗浄液生成装置３１は、電解水生成器３２と、界面活性剤添加器３３と、消臭殺菌剤添加器３４と、電解水生成器３２に電力を供給する電源３５と、ｐＨ値を検出するｐＨセンサ３６と、制御部３７とから構成され、電解水生成器３２の一方の出口側に洗浄液流出経路３１ａが形成されている。
【００６０】
電解水生成器３２、界面活性剤添加器３３及び消臭殺菌剤添加器３４は前記実施例と同様に構成され、各添加器３３，３４は電解水生成器３２の一方の電極３２ａ側の流路に設けられている。また、各添加器３３，３４は電磁弁またはアスピレータ等からなる自動開閉機構３３ａ，３４ａによって内部の液剤の流出量をそれぞれ調節できるようになっている。
【００６１】
電源３５は電解水生成器３２の各電極３２ａ，３２ｂに接続され、一方の電極３２ａと他方の電極３２ｂの極性を任意に切換えられるように電圧を印加している。また、電源３５は電解電圧または電流を制御部３７からの信号によって任意に変えられるようになっている。
【００６２】
ｐＨセンサ３６は電解水生成器３２の一方の電極３２ａ側の流路に設けられ、前記実施例と同様、電解水生成器３２から生成されるアルカリイオン水のｐＨ値を検出するようになっている。
【００６３】
制御部３７はマイクロコンピュータ等によって構成され、界面活性剤添加器３３及び消臭殺菌剤添加器３４の各自動開閉機構３３ａ，３４ａ、電源３５及びｐＨセンサ３６に接続されている。また、制御部３７には操作部３７ａが接続され、操作部３７ａでは洗浄液をアルカリ性、酸性及び中性に択一的に切換えるモード切換が行えるようになっている。
【００６４】
ここで、前記洗浄液生成装置３１の動作を図１３に示すフローチャートを参照して説明する。まず、電解水生成器３２の一方の電極３２ａ側で生成された電解水は一方の出口から吐出して洗浄液として外部に供給され、他方の電極３２ｂ側で生成された電解水は他方の出口を介して排出される。
【００６５】
その際、制御部３７では、操作部３７ａからモード変更の指令があると（Ｓ１０）、操作部３７ａのモードがアルカリ性に設定されている場合は（Ｓ１１）、電解水生成器３２の一方の電極３２ａを陰極、他方の電極３２ｂを陽極とするように電源３５の極性を切換える（Ｓ１２）。これにより、一方の電極３２ａで生成されるアルカリイオン水に界面活性剤及び消臭殺菌剤が添加されてアルカリ性の洗浄液として外部に供給される。また、操作部３７ａのモードが酸性に設定されている場合は（Ｓ１３）、電解水生成器３２の一方の電極３２ａを陽極、他方の電極３２ｂを陰極とするように電源３５の極性を切換える（Ｓ１４）。これにより、一方の電極３２ａで生成される酸性水が酸性の洗浄液として外部に供給される。この場合、添加剤（界面活性剤及び消臭殺菌剤）は混合されない。また、操作部３７ａのモードが中性、即ち前記ステップＳ１１及びＳ１３においてアルカリ性モードでも酸性モードでもない場合は、電源３５をオフにして電解水生成器３２への電圧の印加を解除する（Ｓ１５）。これにより、電解水生成器３２に流入する水道水は電気分解されずに中性の洗浄液として外部に供給される。
【００６６】
このようなモード変更は、例えば流し台の水栓等に接続された洗浄液生成装置において、食器等を洗う際にアルカリ性モードにして洗浄した後、中性モードに切換えて中性の洗浄液（水道水）によりアルカリ性の洗浄液を洗い落としたり、野菜等の食材を洗う際に酸性モードにして酸性水によって洗浄する場合に有効である（酸性水には殺菌効果がある）。尚、洗浄液のｐＨ値の制御、界面活性剤及び消臭殺菌剤の添加量の制御については前記実施例と同様である。
【００６７】
図１４及び図１５は本発明の第５の実施例を示すもので、図１４は洗浄液生成装置の概略構成図である。
【００６８】
同図に示す洗浄液生成装置４１は、電解水生成器４２と、界面活性剤添加器４３と、消臭殺菌剤添加器４４と、電解水生成器４２に電力を供給する電源４５と、ｐＨ値を検出するｐＨセンサ４６と、電解水の流路を切換える電磁弁４７と、同じく三方弁４８と、制御部４９とから構成され、電解水生成器４２の一方の出口側には第１の洗浄液流出経路４１ａが、他方の出口側には界面活性剤添加器４３及び消臭殺菌剤添加器４４をバイパスして第１の洗浄液流出経路４１ａに接続する第２の洗浄液流出経路４１ｂがそれぞれ形成されている。
【００６９】
電解水生成器４２、界面活性剤添加器４３及び消臭殺菌剤添加器４４は前記実施例と同様に構成され、各添加器４３，４４は電解水生成器４２の一方の電極４２ａ側の流路に設けられている。また、各添加器４３，４４は電磁弁またはアスピレータ等からなる自動開閉機構４３ａ，４４ａによって内部の液剤の流出量をそれぞれ調節できるようになっている。
【００７０】
電源４５は電解水生成器４２の各電極４２ａ，４２ｂに接続され、一方の電極４２ａが陰極に、他方の電極４２ｂが陽極になるように電圧を印加している。また、電源４５は電解電圧または電流を制御部４９からの信号によって任意に変えられるようになっている。
【００７１】
ｐＨセンサ４６は電解水生成器４２の一方の電極４２ａ側の流路に設けられ、前記実施例と同様、電解水生成器４２から生成されるアルカリイオン水のｐＨ値を検出するようになっている。
【００７２】
電磁弁４７は第１の洗浄液流出経路４１ａから分岐する流路に設けられ、この流路を開放することにより電解水生成器４２から生成されたアルカリイオン水を排出するようになっている。
【００７３】
三方弁４８は第２の洗浄液流出経路４１ｂに設けられ、一端側と電解水生成器４２の他方の電極４２ｂ側の流路とを連通させることにより電解水生成器４２から生成された酸性水を第１の洗浄液流出経路４１ａに流入させ、他端側と電解水生成器４２の他方の電極４２ｂ側の流路とを連通させることにより電解水生成器４２から生成された酸性水を他端側から排出するようになっている。
【００７４】
制御部４９はマイクロコンピュータ等によって構成され、界面活性剤添加器４３及び消臭殺菌剤添加器４４の各自動開閉機構４３ａ，４４ａ、電源４５、ｐＨセンサ４６、電磁弁４７及び三方弁４８に接続されている。また、制御部４９には操作部４９ａが接続され、操作部４９ａでは洗浄液をアルカリ性、酸性及び中性に択一的に切換えるモード切換が行えるようになっている。
【００７５】
ここで、前記洗浄液生成装置４１の動作を図１５に示すフローチャートを参照して説明する。まず、電解水生成器４２の一方の電極４２ａ（陰極）側にアルカリイオン水が、他方の電極４２ｂ（陽極）側に酸性水がそれぞれ生成され、アルカリイオン水は一方の出口から吐出し、酸性水は他方の出口から吐出する。
【００７６】
その際、制御部４９では、操作部４９ａからモード変更の指令があると（Ｓ２０）、操作部４９ａのモードがアルカリ性に設定されている場合（Ｓ２１）、電磁弁４７を閉鎖（Ｓ２２）、三方弁４８の一端側を閉鎖（Ｓ２３）、他端の排水側を開放する（Ｓ２４）。これにより、電解水生成器４２から生成されるアルカリイオン水が界面活性剤及び消臭殺菌剤を添加されてアルカリ性の洗浄液として外部に供給され、電解水生成器４２から生成される酸性水は三方弁４８を介して排出される。また、操作部４９ａのモードが酸性に設定されている場合には（Ｓ２５）、電磁弁４７を開放（Ｓ２６）、三方弁４８の一端側を開放（Ｓ２７）、他端の排水側を閉鎖する（Ｓ２８）。これにより、電解水生成器４２から生成される酸性水が酸性の洗浄液として外部に供給され、電解水生成器４２から生成されるアルカリイオン水は電磁弁４７を介して排出される。また、操作部４９ａのモードが中性、即ち前記ステップＳ２１及びＳ２５においてアルカリ性モードでも酸性モードでもない場合は、電源３５をオフにして電解水生成器４４への電圧の印加を解除する（Ｓ２９）。これにより、電解水生成器４２に流入する水道水は電気分解されずに中性の洗浄液として外部に供給される。尚、洗浄液のｐＨ値の制御、界面活性剤及び消臭殺菌剤の添加量の制御については前記実施例と同様である。
【００７７】
【発明の効果】
以上説明したように、請求項１の洗浄液生成装置によれば、洗浄効果の高い洗浄液を極めて容易に生成することができるので、各種物品の洗浄、或いは洗浄装置での洗浄効果を格段に高めることができ、しかも悪臭の発生及び雑菌の繁殖を防止することも可能である。また、洗浄効果の向上した分だけ洗浄液の使用量を節減することができるので、経済性及び環境衛生の面においても有利である。また、洗浄液の洗浄力を常に適正に保つことができるので、例えば洗浄装置において洗浄作業が自動化されている場合に有利である。
【００７８】
また、請求項２の洗浄液生成装置によれば、請求項１の効果に加え、電解水生成手段から生成された酸性水を無駄にせずに原水として再利用することができるので、原水の節減を図ることができる。
【００７９】
また、請求項３及び４の洗浄液生成装置によれば、アルカリ性の洗浄液だけでなく、添加剤を混合せずとも殺菌効果のある酸性の洗浄液も生成することができるので、食材を洗浄する場合に好都合である。また、生成される洗浄液をアルカリ性、酸性及び中性に任意に切換えることができるので、例えば物品の油汚れを落とすときはアルカリ性の洗浄液で洗浄した後、中性の洗浄液で洗い流し、食材を洗浄する場合は酸性の洗浄液を使用するなど、それぞれの洗浄液を必要に応じて選択することができる。
【００８０】
また、請求項５及び６の洗浄液生成装置によれば、請求項３または４の効果に加え、洗浄液の洗浄力を常に適正に保つことができるので、例えば洗浄装置において洗浄作業が自動化されている場合に有利である。
【図面の簡単な説明】
【図１】  本発明の第１の実施例を示す分離装置の断面図
【図２】  分離装置の一側面除外の外観斜視図
【図３】  多孔素子の分解斜視図
【図４】  電解水生成器の断面図
【図５】  界面活性剤添加器及び消臭剤添加器の断面図
【図６】  分離装置の動作説明図
【図７】  多孔素子の作用説明図
【図８】  本発明の第２の実施例を示す分離装置の断面図
【図９】  第２の実施例の変形例を示す分離装置の断面図
【図１０】  本発明の第３の実施例を示す洗浄液生成装置の概略構成図
【図１１】  制御部の動作を示すフローチャート
【図１２】  本発明の第４の実施例を示す洗浄液生成装置の概略構成図
【図１３】  制御部の動作を示すフローチャート
【図１４】  本発明の第５の実施例を示す洗浄液生成装置の概略構成図
【図１５】  制御部の動作を示すフローチャート
【符号の説明】
１…分離装置、２…本体ケース、２ａ…吸気口、２ｂ…排気口、２ｄ…排水管、３…分離板、５…洗浄液生成装置、５ａ…洗浄液流出経路、６…電解水生成器、６ｅ，６ｆ…電極、７…界面活性剤添加器、８…消臭剤添加器、Ｌ…洗浄液、１１…分離装置、１２…本体ケース、１２ａ…吸気口、１２ｂ…排気口、１２ｄ…排水管、１３…分離板、１７…洗浄液生成装置、１７ａ…洗浄液流出経路、１８…電解水生成器、１９…界面活性剤添加器、２０…消臭剤添加器、２１…洗浄液生成装置、２１ａ…洗浄液流出経路、２２…電解水生成器、２２ａ，２２ｂ…電極、２３…界面活性剤添加器、２４…消臭剤添加器、２６…電解水改質装置、２７…ｐＨセンサ、２８…制御部、３１…洗浄液生成装置、３１ａ…洗浄液流出経路、３２…電解水生成器、３２ａ，３２ｂ…電極、３３…界面活性剤添加器、３４…消臭剤添加器、３６…ｐＨセンサ、３７…制御部、４１…洗浄液生成装置、４１ａ…第１の洗浄液流出経路、４１ｂ…第２の洗浄液流出経路、４２…電解水生成器、４２ａ，４２ｂ…電極、４３…界面活性剤添加器、４４…消臭剤添加器、４６…ｐＨセンサ、４７…電磁弁、４８…三方弁、４９…制御部。
【図１】
0003670032.tif 000002
【図２】
0003670032.tif 000003
【図３】
0003670032.tif 000004
【図４】
0003670032.tif 000005
【図５】
0003670032.tif 000006
【図６】
0003670032.tif 000007
【図７】
0003670032.tif 000008
【図８】
0003670032.tif 000009
【図９】
0003670032.tif 000010
【図１０】
0003670032.tif 000011
【図１１】
0003670032.tif 000012
【図１２】
0003670032.tif 000013
【図１３】
0003670032.tif 000014
【図１４】
0003670032.tif 000015
【図１５】
0003670032.tif 000016